(57)【要約】【課題】本発明は、操作ボタンを摺動させる事によって棒状化粧料の出没を行う形態の棒状化粧料容器において、棒状化粧料の繰り上げ下げ及びキャップの開閉をワンタッチで行えるようにする。【解決手段】棒状化粧料を収嵌保持した保持筒を収納したスリーブを内装する収納孔を有し、先端の開口部を閉鎖するキャップを開閉自在に蝶着し、外部の操作ボタンにより直接保持筒を駆動させ、スリーブを摺動させて容器本体より突出させた後、棒状化粧料を繰り出す構成において、保持筒と操作ボタンを連結する連結片を略クランク状に屈曲した板状に成形し、収納孔の軸線に沿って摺動部材を上下摺動自在に内装し、該摺動部材の先端をキャップの蝶番片の軸心を収納孔がわにずらして蝶着し、スリーブの上下摺動によって摺動部材を摺動させ、キャップを開閉させる。【選択図】　　　　　図１
2004024716.tif 000002
【特許請求の範囲】
【請求項１】
棒状化粧料１を収嵌保持した保持筒２と、
該保持筒２を上下摺動自在に内装し、下端が一方向に屈曲したカム部４７ａを有したカム溝４７ｂ、及び下端がカム溝４７ｂの反屈曲方向に水平に屈曲して水平部３９となった貫通溝１９ｄをそれぞれ側壁に穿設したスリーブ１１と、
該スリーブ１１を回動自在に上下摺動自在に内装する収納孔１５を有し、該収納孔１５内壁には、前記スリーブ１１のカム溝４７ｂに係合し、スリーブ１１上端が収納孔１５の開口部１９ｃより僅かに突出した時点でカム溝４７ｂのカム部４７ａ下端に当接する突部４７を突設し、更に収納孔１５よりは、水平方向断面が略クランク状に、かつ外部に開溝させて、外部開溝部１９ｅ直下に隔壁３１ｂを構成したガイド溝５ａを棒状化粧料１のストローク分穿設した容器本体１２ｂと、
該容器本体１２ｂ開口縁部に開閉自在に蝶着され、収納孔１５開口部１９ｃを閉鎖するキャップ１４と、
前記容器本体１２ｂのガイド溝５ａ内に摺動自在に内装され、外部に突出する操作ボタン３５ａ及び、前記スリーブ１１の貫通溝１９ｄを貫通して保持筒２に止着される連結片１６ｃを設けた板状の操作片３５と、
より構成され、該連結片１６ｃは容器本体１２ｂの突部４７がカム部４７ａの下端に当接するまで貫通溝１９ｄの水平部３９に係合して保持筒２とスリーブ１１を上昇させ、突部４７がカム部４７ａの下端に当接した時点で、連結片１６ｃと水平部３９の係合が解除され、保持筒２のみ上昇させることを特徴とする棒状化粧料繰り出し容器。
【請求項２】
前記収納孔１５内壁に、上端がキャップ１４の蝶番片４４ａに相対する位置に開溝した凹溝２７を軸線と平行に刻設し、該凹溝２７に摺動部材４０を摺動自在に内装し、該摺動部材４０の先端はキャップ１４の蝶番片４４ａに、軸心を収納孔１５側にずらして蝶着し、更に摺動部材４０の収納孔１５がわ側壁に感応突部４２を突設し、スリーブ１１側壁に、スリーブ１１下死点付近で感応突部４２を乗り越え可能に、かつ感応突部４２の上方及び下方に当接して摺動部材４０を摺動させる突起４２ａを突設し、摺動部材４０の摺動ストロークをキャップ１４を開閉させる範囲に規制したことを特徴とする請求項１記載の棒状化粧料繰り出し容器。
【発明の詳細な説明】
【０００１】
【発明の属する技術分野】
本発明は、口紅、スティックファンデーション等の棒状化粧料を収容し、棒状化粧料の繰り上げ下げとキャップの開閉をワンタッチで行える棒状化粧料繰り出し容器に関するものである。
【０００２】
【従来の技術】
従来、口紅、スティックファンデーション等の棒状化粧料を収容し、棒状化粧料の繰り上げ下げとキャップの開閉をワンタッチで行える棒状化粧料繰り出し容器としては、特許第２９０５１４４号が知られている。この構成では、棒状化粧料及び棒状化粧料を保持する保持筒がスリーブ内に収納された状態で、保持筒と操作ボタンがベルトによって連結し、容器にキャップが開閉自在にヒンジ結合されていた。繰り上げ時には、操作ボタンを摺動させると、棒状化粧料及び保持筒を収納したスリーブが最初に上昇してキャップを押し上げて開放し、キャップが完全に開放されると、はじめて棒状化粧料が繰り出されるようになっていた。また、繰り下げ時には、棒状化粧料がスリーブ内に収納された後、スリーブが容器内に下降し、スリーブ、棒状化粧料及び保持筒が下死点に達すると、操作ボタンが最上点に達し、操作ボタンを操作していた親指によってキャップを閉鎖できた。
【０００３】
【発明が解決しようとする課題】
しかし、この棒状化粧料容器は、保持筒と操作ボタンがベルトで連結しているため、繰り上げ操作をする際には操作ボタンを下方向に摺動させる必要があった。したがって、棒状化粧料の繰り出し方向とは反対に操作ボタンを操作する必要があり、操作に違和感があった。また、棒状化粧料の塗布時には、棒状化粧料を保持した保持筒がベルトのみで支えられているため、ベルトのたわみ分保持筒がぐらつき、塗布時に違和感が残ってしまった。
【０００４】
上記欠点は、保持筒と操作ボタンを直接連結してベルトをなくせば、繰り出し方向と同じ方向に操作ボタンを操作することによって繰り出し操作が行え、操作ボタンを固定すれば、保持筒も固定されるようになり、解消できた。しかも、構造がシンプルになるため、故障が少なくなり、製造コスト、製品コストを低減させることができた。しかし、この構造にも欠点があった。以下に列挙する。
【０００５】
操作ボタンと保持筒が直接連結しているため、操作ボタンを摺動させるために容器側面に、棒状化粧料の摺動方向と平行にガイド溝を穿設する必要があった。このガイド溝は、容器内部にまで達しており、スリーブ及び棒状化粧料が外部から覗けてしまい、棒状化粧料にごみが付着する危険性があった。また、棒状化粧料の繰り下げ完了時には、操作ボタンが最下点に位置するため、キャップを閉鎖する親指が、キャップから離れた位置にあり、キャップを閉鎖するには、一連の連続した操作で行えるとは言えなかった。
【０００６】
【課題を解決するための手段】
棒状化粧料１を収嵌保持した保持筒２と、該保持筒２を上下摺動自在に内装し、下端が一方向に屈曲したカム部４７ａを有したカム溝４７ｂ、及び下端がカム溝４７ｂの反屈曲方向に水平に屈曲して水平部３９となった貫通溝１９ｄをそれぞれ側壁に穿設したスリーブ１１と、該スリーブ１１を回動自在に上下摺動自在に内装する収納孔１５を有し、該収納孔１５内壁には、前記スリーブ１１のカム溝４７ｂに係合し、スリーブ１１上端が収納孔１５の開口部１９ｃより僅かに突出した時点でカム溝４７ｂのカム部４７ａ下端に当接する突部４７を突設し、更に収納孔１５よりは、水平方向断面が略クランク状に屈曲させ外部開溝部１９ｅ直下に隔壁３１ｂを構成したガイド溝５ａを棒状化粧料１のストローク分穿設した容器本体１２ｂと、該容器本体１２ｂ開口縁部に開閉自在に蝶着され、収納孔１５開口部１９ｃを閉鎖するキャップ１４と、前記容器本体１２ｂのガイド溝５ａ内に摺動自在に内装され、外部に突出する操作ボタン３５ａ及び、前記スリーブ１１の貫通溝１９ｄを貫通して保持筒２に止着される連結片１６ｃを設けた板状の操作片３５と、より構成され、該連結片１６ｃは容器本体１２ｂの突部４７がカム部４７ａの下端に当接するまで貫通溝１９ｄの水平部３９に係合して保持筒２とスリーブ１１を上昇させ、突部４７がカム部４７ａの下端に当接した時点で、連結片１６ｃと水平部３９の係合が解除され、保持筒２のみ上昇させることを特徴とする。
【０００７】
また、上記構成において、前記収納孔１５内壁に、上端がキャップ１４の蝶番片４４ａに相対する位置に開溝した凹溝２７を軸線と平行に刻設し、該凹溝２７に摺動部材４０を摺動自在に内装し、該摺動部材４０の先端はキャップ１４の蝶番片４４ａに、軸心を収納孔１５側にずらして蝶着し、更に摺動部材４０の収納孔１５がわ側壁に感応突部４２を突設し、スリーブ１１側壁に、スリーブ１１下死点付近で感応突部４２を乗り越え可能に、かつ感応突部４２の上方及び下方に当接して摺動部材４０を摺動させる突起４２ａを突設し、摺動部材４０の摺動ストロークを、キャップ１４を開閉させる範囲に規制したことを特徴とする。
【０００８】
【実施例】
本発明実施例を図によって説明する。容器本体１２ｂは、左右対称の枠体３１を貼着して構成されている。この容器本体１２ｂには、収納孔１５が穿設されている。この収納孔１５は、容器本体１２ｂの一端面に開口部１９ｃを有し、下端部２０を有している。更に、この収納孔１５の内側壁には、軸線と平行に凹溝２７が刻設されている。この凹溝２７の底面、及び一方の側面及び収納孔１５の一部分に沿って、ガイド溝５ａが刻設されている。このガイド溝５ａの、凹溝２７の底面に位置した部位は、外部に貫通している。その結果、ガイド溝５ａの開溝部１９ｅ直下に隔壁３１ｂを構成している。このガイド溝５ａの長さが、後述する棒状化粧料１及び保持筒２の摺動ストローク長となる。また、収納孔１５の内側壁には、突部４７が突出している。また、凹溝２７の端部は、開口部１９ｃと連続して開溝している。
【０００９】
また、容器本体１２ｂの開口部１９ｃ側縁部には、キャップ１４が開閉自在に蝶着している。このキャップ１４は凹溝２７より外側に蝶着されており、蝶番片４４ａが凹溝２７内に突出している。
【００１０】
この凹溝２７内には、棒状の摺動部材４０が摺動自在に内装されている。この摺動部材４０の先端は、キャップ１４の蝶番片４４ａにヒンジ結合されている。この摺動部材４０はキャップ１４が容器本体１２ｂに蝶着した軸心部分より収納孔１５がわにずれて蝶着しており、摺動部材４０が上方に摺動するとキャップ１４が開放し、下方に摺動するとキャップ１４を閉鎖するよう構成している。さらに、この摺動部材４０の収納孔１５がわ側壁には、感応突部４２を突設している。また、凹溝２７側壁には制御突部４３が突出し、摺動部材４０側壁には、この制御突部４３が係合する制御溝４３ａが刻設されている。この制御溝４３ａは、摺動部材４０の摺動範囲を、キャップ１４を開閉させる範囲にしている。
【００１１】
このガイド溝５ａ内には、操作片３５が摺動自在に内装されている。この操作片３５は、水平断面が略クランク形状をしており、ガイド溝５ａの壁面に沿った板状をしている。この操作片３５の外部に露出した部位には、操作ボタン３５ａが止着され、操作片３５を外部から操作できるようになっている。また、操作片３５の収納孔１５に面した部位には、連結片１６ｃが設けられ、収納孔１５内に突出している。つまり、この操作片３５は、操作ボタン３５ａと収納孔１５を、摺動部材４０をかわして連結している。
【００１２】
この収納孔１５には、スリーブ１１が上下摺動自在に回動可能に内装されている。このスリーブ１１の側壁には、収納孔１５内の突部４７が係合するカム溝４７ｂが刻設されている。このカム溝４７ｂの下端は、一方向に屈曲しており、スリーブ１１が摺動して突部４７がカム溝４７ｂの端部に当接する直前に僅かにスリーブ１１を回転させるカム部４７ａになっている。なお、この突部４７は、スリーブ１１が収納孔１５内に収納された状態でカム溝４７ｂの上端に当接し、スリーブ１１の上端が容器本体１２ｂより僅かに突出した状態でカム溝４７ｂ下端のカム部４７ａに当接するよう構成されている。更にスリーブ１１の側壁には、貫通溝１９ｄが穿設されている。この貫通溝１９ｄの下端は、スリーブ１１の回転方向とは逆方向に直角に折曲した水平部３９が設けられている。この貫通溝１９ｄには、操作片３５の連結片１６ｃが貫通している。また、スリーブ１１の凹溝２７がわ外壁には、摺動部材４０の感応突部４２と乗り越え可能に当接する突起４２ａを突設している。この突起４２ａは、スリーブ１１が上昇する際、感応突部４２の下側に当接して摺動部材４０を押し上げ、摺動部材４０がキャップ１４を開放し、制御突部４３が制御溝４３ａの端部に当接すると感応突部４２を乗り越えるようになっている。逆にスリーブ１１が下降する際、突起４２ａが感応突部４２の上側に当接して摺動部材４０を押し下げ、摺動部材４０がキャップ１４を閉鎖し、制御突部４３が制御溝４３ａの端部に当接すると感応突部４２を乗り越えるようになっている。
【００１３】
このスリーブ１１内には、棒状化粧料１の一端を保持した保持筒２が上下摺動自在に内装されている。この保持筒２には、スリーブ１１の貫通溝１９ｄを貫通した連結片１６ｃが止着されている。
【００１４】
次に、各構成部材の位置関係を各部材の動きによって説明する。操作ボタン３５ａがガイド溝５ａの下端に当接した状態では保持筒２及びスリーブ１１が下死点に位置し、収納孔１５内に収納されている。キャップ１４は、開口部１９ｃを閉鎖している。また、突部４７はスリーブ１１のカム溝４７ｂの上端に当接し、連結片１６ｃは貫通溝１９ｄの水平部３９に係合している。また、突起４２ａは摺動部材４０の感応突部４２下面に当接している。図１、図７参照。
【００１５】
そして、操作ボタン３５ａを上方に摺動させると、操作片３５により連結した連結片１６ｃが上昇する。この連結片１６ｃは貫通溝１９ｄの水平部３９に係合しているため、保持筒２と共にスリーブ１１も上昇する。このスリーブ１１の上昇につれ、突起４２ａが当接した摺動部材４０も上昇する。その結果、摺動部材４０がキャップ１４を開放する。キャップ１４を開放した時点で摺動部材４０の制御溝４３ａ端部に制御突部４３が当接し、摺動部材４０の上昇が停止する。図４参照。
【００１６】
更に操作ボタン３５ａを上方に摺動させると、摺動部材４０をその位置に残し、スリーブ１１のみ上昇する。スリーブ１１の上端が、収納孔１５の開口部１９ｃより突出すると、突部４７がカム溝４７ｂの下端のカム部４７ａに当接する。カム部４７ａは下端で屈曲しているため、突部４７がカム部４７ａの端部に当接する直前でスリーブ１１が僅かに回転する。図５、図８参照。その結果、貫通溝１９ｄの水平部３９に係合していた連結片１６ｃは係合が解除され貫通溝１９ｄ内を上昇する。つまり、スリーブ１１内を保持筒２が上昇し、棒状化粧料１をスリーブ１１より突出させる。図６、図９参照。
【００１７】
逆に、操作ボタン３５ａがガイド溝５ａの上端に当接した状態では、キャップ１４が開放し、スリーブ１１先端部分が容器本体１２ｂ開口部１９ｃより突出し、棒状化粧料１がスリーブ１１先端より突出している。また、突部４７はスリーブ１１のカム溝４７ｂのカム部４７ａに当接し、連結片１６ｃは貫通溝１９ｄの上端に当接している。
【００１８】
そして、操作ボタン３５ａを下方に摺動させると、操作片３５により連結した連結片１６ｃが下降する。この連結片１６ｃは貫通溝１９ｄを降下し、保持筒２及び棒状化粧料１がスリーブ１１内に収納される。保持筒２及び棒状化粧料１がスリーブ１１内に収容された時点で連結片１６ｃは貫通溝１９ｄの下端に当接し、スリーブ１１の降下が始まる。突部４７はカム部４７ａを上昇してスリーブ１１を僅かに回転させ、連結片１６ｃを貫通溝１９ｄの水平部３９に係合させる。スリーブ１１が容器本体１２ｂ内に収納された時点で、突起４２ａが摺動部材４０の感応突部４２上面に当接する。スリーブ１１の下降につれ、摺動部材４０も押し下げられ、キャップ１４が閉鎖される。キャップ１４が閉鎖された時点で、突起４２ａは感応突部４２を乗り越え、操作ボタン３５ａがガイド溝５ａの下端に当接する。
【００１９】
なお、本発明実施例で説明した、構成部材の配置は、実施例中で説明した動きを阻害しない限り自由である。また、制御突部４３と制御溝４３ａなど、突部とそれが係合する凹部の位置的な関係は、逆にしても可能である事は言うまでもない。また、各構成部材を成形する材質も、金属、合成樹脂自由である。
【００２０】
【発明の効果】
本発明は以上のように、棒状化粧料１を収嵌保持した保持筒２と、該保持筒２を上下摺動自在に内装し、下端が一方向に屈曲したカム部４７ａを有したカム溝４７ｂ、及び下端がカム溝４７ｂの反屈曲方向に水平に屈曲して水平部３９となった貫通溝１９ｄをそれぞれ側壁に穿設したスリーブ１１と、該スリーブ１１を回動自在に上下摺動自在に内装する収納孔１５を有し、該収納孔１５内壁には、前記スリーブ１１のカム溝４７ｂに係合し、スリーブ１１上端が収納孔１５の開口部１９ｃより僅かに突出した時点でカム溝４７ｂのカム部４７ａ下端に当接する突部４７を突設し、更に収納孔１５よりは、水平方向断面が略クランク状に屈曲させ、外部開溝部１９ｅ直下に隔壁３１ｂを構成したガイド溝５ａを棒状化粧料１のストローク分穿設した容器本体１２ｂと、該容器本体１２ｂ開口縁部に開閉自在に蝶着され、収納孔１５開口部１９ｃを閉鎖するキャップ１４と、前記容器本体１２ｂのガイド溝５ａ内に摺動自在に内装され、外部に突出する操作ボタン３５ａ及び、前記スリーブ１１の貫通溝１９ｄを貫通して保持筒２に止着される連結片１６ｃを設けた板状の操作片３５と、より構成され、該連結片１６ｃは容器本体１２ｂの突部４７がカム部４７ａの下端に当接するまで貫通溝１９ｄの水平部３９に係合して保持筒２とスリーブ１１を上昇させ、突部４７がカム部４７ａの下端に当接した時点で、連結片１６ｃと水平部３９の係合が解除され、保持筒２のみ上昇させることを特徴としている。したがって、保持筒２を直接駆動させる操作片３５が略クランク状に屈曲させ、操作片３５を収納したガイド溝５ａを屈曲して、開溝部１９ｅ直下に隔壁３１ｂを設けたため、外部より容器本体１２ｂ内部を覗けない様になっている。しかも、操作片３５が板状をしているため、ガイド溝５ａの幅を狭くする事が可能となっている。更に棒状化粧料１はスリーブ１１内に収納された状態で容器本体１２ｂ内に収納されているため、棒状化粧料１にごみやほこりが付着しないようになっている。
【００２１】
また、上記構成において、前記収納孔１５内壁に、上端がキャップ１４の蝶番片４４ａに相対する位置に開溝した凹溝２７を軸線と平行に刻設し、該凹溝２７に摺動部材４０を摺動自在に内装し、該摺動部材４０の先端はキャップ１４の蝶番片４４ａに、軸心を収納孔１５側にずらして蝶着し、更に摺動部材４０の収納孔１５がわ側壁に感応突部４２を突設し、スリーブ１１側壁に、スリーブ１１下死点付近で感応突部４２を乗り越え可能に、かつ感応突部４２の上方及び下方に当接して摺動部材４０を摺動させる突起４２ａを突設し、摺動部材４０の摺動ストロークを、キャップ１４を開閉させる範囲に規制したことを特徴としている。したがって、操作ボタン３５ａを操作することによって、摺動部材４０を摺動させ、手を触れる事無くキャップ１４を開閉させる事ができるようになり、キャップ１４の開閉を完全に自動化している。
【図面の簡単な説明】
【図１】本発明実施例の棒状化粧料繰り出し容器の正面断面図。
【図２】図１におけるＡ−Ａ’断面図。
【図３】図１におけるＢ−Ｂ’断面図。
【図４】本発明実施例の棒状化粧料繰り出し容器のキャップ開放時の正面断面図。
【図５】本発明実施例の棒状化粧料繰り出し容器のスリーブ上死点時の正面断面図。
【図６】本発明実施例の棒状化粧料繰り出し容器の棒状化粧料上死点時の正面断面図。
【図７】図１におけるスリーブの展開図。
【図８】図５におけるスリーブの展開図。
【図９】図６におけるスリーブの展開図。
【図１０】本発明実施例の棒状化粧料繰り出し容器のスリーブの斜視図。
【符号の説明】
１　　棒状化粧料
２　　保持筒
５ａ　ガイド溝
１１　　スリーブ
１２ｂ　容器本体
１４　　キャップ
１５　　収納孔
１６ｃ　連結片
１９ｃ　開口部
１９ｄ　貫通溝
１９ｅ　開溝部
２７　　凹溝
３１ｂ　隔壁
３５　　操作片
３５ａ　操作ボタン
３９　　水平部
４０　　摺動部材
４２　　感応突部
４２ａ　突起
４４ａ　蝶番片
４７　　突部
４７ａ　カム部
４７ｂ　カム溝
【図１】
2004024716.tif 000003
【図２】
2004024716.tif 000004
【図３】
2004024716.tif 000005
【図４】
2004024716.tif 000006
【図５】
2004024716.tif 000007
【図６】
2004024716.tif 000008
【図７】
2004024716.tif 000009
【図８】
2004024716.tif 000010
【図９】
2004024716.tif 000011
【図１０】
2004024716.tif 000012